(57)【要約】【課題】専用の遮光部材を用いることなく光漏れを防止できる映像表示装置を得ることにある。【解決手段】映像表示装置は、発光部と、発光部を背後から覆うバックシャーシを有するとともに発光部を収容した筐体と、バックシャーシに開けた係合孔に取り付けられ、バックシャーシに回路部品を保持する支持部材と、を備えている。支持部材は、回路部品を受け止める受け部と、バックシャーシの係合孔を通過する発光部の光を遮るように構成された遮光部と、を含んでいる。【選択図】図１０
2015069016.tif 000002
【特許請求の範囲】
【請求項１】
発光部と、
前記発光部を背後から覆うバックシャーシを有するとともに、前記発光部を収容した筐体と、
前記バックシャーシに開けた係合孔に取り付けられ、前記バックシャーシに回路部品を保持する支持部材と、を具備し、
前記支持部材は、前記回路部品を受け止める受け部と、前記バックシャーシの前記係合孔を通過する前記発光部の光を遮るように構成された遮光部と、を備えた映像表示装置。
【請求項２】
前記支持部材は、前記バックシャーシの前記係合孔に係合された係合部を有し、当該係合部と前記係合孔の開口周縁との間に前記支持部材の外に露出された隙間が形成され、前記遮光部は、前記隙間と前記筐体との間に進出するように前記受け部に設けられた請求項１に記載の映像表示装置。
【請求項３】
前記遮光部は、前記隙間の寸法よりも大きな形状を有する請求項２に記載の映像表示装置。
【請求項４】
前記支持部材は、前記受け部と協働して前記回路部品を挟み込む挟持片を有する請求項１ないし請求項３のいずれか一項に記載の映像表示装置。
【請求項５】
前記回路部品が前記支持部材を介して前記バックシャーシに保持された状態では、前記回路部品が前記係合孔と向かい合う請求項４に記載の映像表示装置。
【請求項６】
前記回路部品はプリント基板であり、前記支持部材の前記受け部は、前記プリント基板の縁に接した壁を含み、前記遮光部は、前記壁に連続するように設けられた請求項１ないし請求項５のいずれか一項に記載の映像表示装置。
【請求項７】
前記筐体は、前記バックシャーシの周囲に位置された通孔を有する請求項１ないし請求項３のいずれか一項に記載の映像表示装置。
【請求項８】
映像を表示するパネルと、
前記パネルを照らす光源と、
前記パネルおよび前記光源を背後から覆うとともに、互いに間隔を存して開口された複数の係合孔を有するバックシャーシを含み、前記パネルおよび前記光源を収容した筐体と、
前記係合孔の間に跨るように前記バックシャーシに取り付けられ、前記バックシャーシに回路部品を保持する支持部材と、を具備し、
前記支持部材は、前記回路部品を受け止める受け部と、前記受け部に設けられ、前記係合孔が並んだ前記バックシャーシの区域よりも前記係合孔の並び方向に沿う外側に向けて張り出すことで前記係合孔を通過する前記光源の光を遮る遮光部と、を備えた映像表示装置。
【請求項９】
前記支持部材は、前記バックシャーシの前記係合孔に夫々係合された複数の係合部を有し、当該係合部と前記係合孔の開口周縁との間に前記支持部材の外に露出された隙間が形成され、前記遮光部は、前記隙間から前記筐体に向かう光を遮るように構成された請求項８に記載の映像表示装置。
【請求項１０】
前記筐体は、前記バックシャーシの周囲に位置された通孔を有する請求項８又は請求項９に記載の映像表示装置。
【請求項１１】
前記回路部品はプリント基板であり、前記支持部材の前記受け部は、前記プリント基板の縁に接した壁を含み、前記遮光部は、前記壁に連続するように設けられた請求項９に記載の映像表示装置。
【請求項１２】
前記壁は、前記遮光部の間を結ぶように構成された請求項１１に記載の映像表示装置。
【請求項１３】
前記支持部材は、前記受け部と協働して前記回路部品を挟み込む挟持片を有する請求項８又は請求項９に記載の映像表示装置。
【請求項１４】
前記回路部品が前記支持部材を介して前記バックシャーシに保持された状態では、前記回路部品が前記係合孔と向かい合う請求項１２に記載の映像表示装置。
【請求項１５】
発光部と、
前記発光部の背後に設けられたバックシャーシと、
前記バックシャーシに開けた係合孔に取り付けられ、前記バックシャーシに回路部品を保持するとともに、前記バックシャーシの前記係合孔を通過する前記発光部の光を遮る遮光部を有する支持部材と、を備えた映像表示装置。
【請求項１６】
前記支持部材は、前記回路部品と前記バックシャーシとの間に介在された第１の部分と、前記第１の部分と協働して前記回路部品を挟み込む第２の部分と、を含み、前記回路部品が前記支持部材を介して前記バックシャーシに保持された状態では、前記回路部品が前記係合孔と向かい合う請求項１５に記載の映像表示装置。
【請求項１７】
前記遮光部は、前記第１の部分に設けられた請求項１６に記載の映像表示装置。
【請求項１８】
前記回路部品を前記バックシャーシの背後から覆ったシールド板をさらに備え、前記回路部品は、前記シールド板によって前記支持部材の前記第１の部分に押圧された請求項１５ないし請求項１７のいずれか一項に記載の映像表示装置。
【発明の詳細な説明】
【技術分野】
【０００１】
本発明の実施形態は、映像表示装置に関する。
【背景技術】
【０００２】
映像表示装置の一例である液晶テレビでは、液晶セルを照らすバックライトおよび液晶セルを駆動するプリント基板のような各種の周辺部品が液晶セルと一緒に筐体の内部に収容されている。プリント基板は、液晶セルの背後に配置されたバックシャーシに複数の支持部材を介して保持されている。
【先行技術文献】
【特許文献】
【０００３】
【特許文献１】特開２０１３−１３０８３１号公報
【特許文献２】特開２０１０−１７５７０４号公報
【発明の概要】
【発明が解決しようとする課題】
【０００４】
支持部材は、バックシャーシに開けた複数の孔に引っ掛けることでバックシャーシに取り付けられている。バックシャーシに孔が開くと、例えばバックライトから放射された光の一部がバックシャーシの孔を通過して筐体の内部に漏洩する。
【０００５】
筐体は、スピーカが発した音を放出する開口部や放熱用の通気孔を有するので、筐体の内部に漏洩した光が筐体の開口部や通気孔を通じて液晶テレビの外に漏れ出る、いわゆる光漏れが生じる。
【０００６】
本発明の目的は、専用の遮光部材を用いることなく光漏れを防止できる映像表示装置を得ることにある。
【課題を解決するための手段】
【０００７】
実施形態によれば、映像表示装置は、発光部と、前記発光部を背後から覆うバックシャーシを有するとともに前記発光部を収容した筐体と、前記バックシャーシに開けた係合孔に取り付けられ、前記バックシャーシに回路部品を保持する支持部材と、を備えている。前記支持部材は、前記回路部品を受け止める受け部と、前記バックシャーシの前記係合孔を通過する前記発光部の光を遮るように構成された遮光部と、を含んでいる。
【図面の簡単な説明】
【０００８】
【図１】（Ａ）は、液晶テレビの正面図である。（Ｂ）は、液晶テレビの側面図である。
【図２】卓上スタンドの方向から見た液晶テレビの斜視図である。
【図３】液晶テレビのテレビ本体を分解して示す斜視図である。
【図４】バックライトを構成するＬＥＤモジュールの一部を示す斜視図である。
【図５】バックシャーシを背後から見た背面図である。
【図６】液晶セルを駆動するプリント基板が保持されたバックシャーシを背後から見た背面図である。
【図７】座部を有するバックシャーシの第３の外周壁を背後から見た背面図である。
【図８】バックシャーシの第３の外周壁に第１ないし第５の支持部材を取り付けた状態を示す背面図である。
【図９】バックシャーシの第３の外周壁に第１ないし第５の支持部材を介してプリント基板を保持した状態を示す背面図である。
【図１０】図９のＦ１０−Ｆ１０線に沿う断面図である。
【図１１】図９のＦ１１−Ｆ１１線に沿う断面図である。
【図１２】（Ａ）は、第１の実施形態で用いる第１の支持部材の斜視図である。（Ｂ）は、図１２（Ａ）の第１の支持部材を裏側から見た斜視図である。
【図１３】（Ａ）は、第１の実施形態で用いる第２の支持部材の斜視図である。（Ｂ）は、図１３（Ａ）の第２の支持部材を裏側から見た斜視図である。
【図１４】バックシャーシの第３の外周壁にプリント基板を保持した状態を示す斜視図である。
【図１５】係合孔が形成されたバックシャーシの第３の外周壁を示す斜視図である。
【図１６】バックシャーシの第３の外周壁に第２の支持部材を取り付けた状態を示す斜視図である。
【図１７】バックシャーシの第３の外周壁に第２の支持部材を介してプリント基板を保持した状態を示す斜視図である。
【図１８】第２の支持部材の係合爪と第３の外周壁の座部に形成された係合孔との位置関係を示す斜視図である。
【図１９】第２の支持部材の係合爪と第３の外周壁の座部に形成された係合孔との位置関係を示す平面図である。
【図２０】第２の実施形態で用いる第２の支持部材の斜視図である。
【発明を実施するための形態】
【０００９】
[第１の実施形態]
以下、第１の実施形態について、図１ないし図１９を参照して説明する。
【００１０】
図１および図２は、第１の実施形態に係る液晶テレビ１を開示している。液晶テレビ１は、液晶表示装置又は電子機器の一例である。液晶テレビ１は、卓上スタンド２およびテレビ本体３を備えている。卓上スタンド２は、例えばテレビ台の天板Ｔの上に設置される。テレビ本体３は、天板Ｔの上で起立するように卓上スタンド２に支持されている。
【００１１】
図３に示すように、テレビ本体３は、筐体５、液晶パネル６、バックライト７およびユニットカバー８を主要な要素として備えている。筐体５は、樹脂製のフロントベゼル１０、金属製のバックシャーシ１１および樹脂製のミドルフレーム１２を有している。
【００１２】
フロントベゼル１０は、フロントカバー又は第１のカバーと言い換えることができる。フロントベゼル１０は、第１ないし第４の辺部１３ａ，１３ｂ，１３ｃ，１３ｄを有する横長の枠状である。第１の辺部１３ａおよび第３の辺部１３ｃは、テレビ本体３の幅方向に水平に延びているとともに、テレビ本体３の高さ方向に互いに間隔を存して平行に配置されている。第２の辺部１３ｂおよび第４の辺部１３ｄは、テレビ本体３の高さ方向に起立されているとともに、テレビ本体３の幅方向に互いに間隔を存して平行に配置されている。第１ないし第４の辺部１３ａ，１３ｂ，１３ｃ，１３ｄは、互いに協働して四角い開口部１４を規定している。
【００１３】
バックシャーシ１１は、バックカバー又は第２のカバーと言い換えることができる。バックシャーシ１１は、フロントベゼル１０を背後から覆うようにフロントベゼル１０に組み合わされている。バックシャーシ１１は、後壁１５および第１ないし第４の外周壁１６ａ，１６ｂ，１６ｃ，１６ｄを有している。
【００１４】
後壁１５は、四角い形状を有し、フロントベゼル１０の開口部１４と向かい合うように起立している。後壁１５の背面の下端部に卓上スタンド２が固定されている。第１ないし第４の外周壁１６ａ，１６ｂ，１６ｃ，１６ｄは、後壁１５の外周縁からフロントベゼル１０に向かうとともに、後壁１５の周囲に張り出すように傾いている。第１ないし第４の外周壁１６ａ，１６ｂ，１６ｃ，１６ｄの先端縁部は、夫々フロントベゼル１０の第１ないし第４の辺部１３ａ，１３ｂ，１３ｃ，１３ｄと向かい合っている。
【００１５】
ミドルフレーム１２は、第１ないし第４の辺部１７ａ，１７ｂ，１７ｃ，１７ｄを有する横長の枠状である。第１の辺部１７ａは、フロントベゼル１０の第１の辺部１３ａとバックシャーシ１１の第１の外周壁１６ａの先端縁部との間に位置されている。第２の辺部１７ｂは、フロントベゼル１０の第２の辺部１３ｂとバックシャーシ１１の第２の外周壁１６ｂの先端縁部との間に位置されている。第３の辺部１７ｃは、フロントベゼル１０の第３の辺部１３ｃとバックシャーシ１１の第３の外周壁１６ｃの先端縁部との間に位置されている。第４の辺部１７ｄは、フロントベゼル１０の第４の辺部１３ｄとバックシャーシ１１の第４の外周壁１６ｄの先端縁部との間に位置されている。第１ないし第４の辺部１３ａ，１３ｂ，１３ｃ，１３ｄは、互いに協働して四角い開口部１８を規定している。
【００１６】
ミドルフレーム１２の第１ないし第４の辺部１７ａ，１７ｂ，１７ｃ，１７ｄは、夫々図１０および図１１に示すような平坦な支持面２０を有している。第１ないし第４の辺部１７ａ，１７ｂ，１７ｃ，１７ｄの支持面２０は、開口部１８を取り囲むようにミドルフレーム１２の周方向に連続されている。第１ないし第４の辺部１７ａ，１７ｂ，１７ｃ，１７ｄの支持面２０は、互いに同一の面上に位置されているとともに、フロントベゼル１０と向かい合っている。
【００１７】
本実施形態によると、フロントベゼル１０、バックシャーシ１１およびミドルフレーム１２は、複数の金属クリップ又は複数のねじを介して互いに結合されている。そのため、フロントベゼル１０、バックシャーシ１１およびミドルフレーム１２は、一体構造物として組み立てられて、偏平な箱型の筐体５を構成している。
【００１８】
液晶パネル６は、筐体５の内部に収容されている。図３に示すように、液晶パネル６は、四角い液晶セル２２と、液晶セル２２を駆動する駆動回路を搭載した二枚のプリント基板２３ａ，２３ｂとを備えている。液晶セル２２は、映像を映し出す画面２２ａを有している。画面２２ａから外れた液晶セル２２の外周部は、フロントベゼル１０とミドルフレーム１２の支持面２０との間で挟み込まれている。このため、液晶セル２２の画面２２ａは、開口部１４から筐体５の外に露出されている。
【００１９】
プリント基板２３ａ，２３ｂは、回路部品の一例であって、液晶セル２２の幅方向に延びる細長い形状を有している。図６、図９ないし図１１に示すように、プリント基板２３ａ，２３ｂは、液晶セル２２の下端部に複数のフレキシブルプリント配線板２４を介して接続されている。本実施形態では、フレキシブルプリント配線板２４は、液晶セル２２の裏側に向けて折り返されている。これにより、プリント基板２３ａ，２３ｂがバックシャーシ１１の第３の外周壁１６ｃの背面上に位置されている。
【００２０】
図３、図１０および図１１に示すように、液晶セル２２の背後に拡散板２５が配置されている。拡散板２５は、液晶セル２２と同等の大きさを有する四角い板であり、光拡散性および光透過性を有している。拡散板２５は、バックシャーシ１１の第１ないし第４の外周壁１６ａ，１６ｂ，１６ｃ，１６ｄの先端縁部とミドルフレーム１２との間に介在されて、ミドルフレーム１２の開口部１８と向かい合っている。
【００２１】
さらに、拡散板２５の前面に光学シート２６が積層されている。光学シート２６は、例えばプリズムシートや光拡散シートのような三枚のシート要素２６ａ，２６ｂ，２６ｃを含んでいる。光学シート２６は、筐体５の内部で液晶セル２２の背面と向かい合っている。光学シート２６と液晶セル２２の背面との間には、僅かなクリアランスＣが確保されている。
【００２２】
バックライト７は、筐体５の内部に収容されている。バックライト７は、光源の一例であって、複数本のＬＥＤモジュール２８を備えている。図４に示すように、各ＬＥＤモジュール２８は、モジュール基板２９と複数のＬＥＤ３０とを備えている。モジュール基板２９は、液晶セル２２の幅方向に延びる細長い形状を有している。ＬＥＤ３０は、モジュール基板２９の前面に実装されている。ＬＥＤ３０は、モジュール基板２９の長手方向に間隔を存して一列に並んでいるとともに、個々にレンズ３１で覆われている。
【００２３】
モジュール基板２９は、バックシャーシ１１の後壁１５の前面に保持され、ＬＥＤ３０を覆ったレンズ３１が拡散板２５と向かい合っている。本実施形態によると、複数のＬＥＤモジュール２８は、液晶セル２２の高さ方向に間隔を存して互いに平行に配置されている。さらに、ＬＥＤモジュール２８は、バックシャーシ１１の後壁１５の背面に支持されたプリント配線板３２に電気的に接続されている。
【００２４】
図３に示すように、例えば白色の反射シート３３がバックシャーシ１１の前面に積層されている。反射シート３３は、バックシャーシ１１の前面およびモジュール基板２９を連続して覆っている。ＬＥＤ３０を覆ったレンズ３１は、反射シート３３に開けた複数の通孔３４を貫通して反射シート３３の上に露出されている。
【００２５】
反射シート３３は、ＬＥＤ３０からバックシャーシ１１に向かう光を拡散板２５に向けて反射させる。反射光は、ＬＥＤ３０から直接拡散板２５に向かう光と一緒に拡散板２５に入射される。拡散板２５に入射された光は、光学シート２６を透過して液晶セル２２に向かう。この結果、拡散板２５の前面から液晶セル２２に向けて光が照射され、液晶セル２２の画面２２ａに表示された映像の視認性が高まる。
【００２６】
したがって、本実施形態では、液晶パネル６およびバックライト７が筐体５に収容された発光部を構成している。
【００２７】
図６に示すように、液晶セル２２を駆動するプリント基板２３ａ，２３ｂは、夫々バックシャーシ１１の下端部に位置する第３の外周壁１６ｃの背面に保持されて、バックシャーシ１１の幅方向に一列に並んでいる。
【００２８】
プリント基板２３ａ，２３ｂの保持構造は互いに共通であるため、一方のプリント基板２３ａの保持構造を代表して説明する。
【００２９】
図７および図１５に示すように、座部３５がバックシャーシ１１の第３の外周壁１６ｃに形成されている。座部３５は、第３の外周壁１６ｃから下向きに張り出すとともに、バックシャーシ１１の幅方向に直線状に延びている。座部３５は、バックシャーシ１１の背後に露出されたフラットな座面３５ａを有している。
【００３０】
図９および図１４に示すように、プリント基板２３ａは、第１ないし第５の支持部材３７ａ，３７ｂ，３７ｃ，３７ｄ，３７ｅを介して第３の外周壁１６ｃの座部３５に保持されている。第１ないし第５の支持部材３７ａ，３７ｂ，３７ｃ，３７ｄ，３７ｅは、例えば非導電性の合成樹脂材料で構成され、プリント基板２３ａの長手方向に間隔を存して一列に並んでいる。
【００３１】
本実施形態によると、第１、第３および第５の支持部材３７ａ，３７ｃ，３７ｅは、プリント基板２３ａの長手方向に沿う両端部およびプリント基板２３ａの長手方向に沿う中間部でプリント基板２３ａを受け止めている。
【００３２】
第１、第３および第５の支持部材３７ａ，３７ｃ，３７ｅは、互いに共通の構成を有するため、第１の支持部材３７ａを代表して説明する。図１０および図１２に示すように、第１の支持部材３７ａは、プリント基板２３ａを受け止める受け部３８を有している。受け部３８は、例えば一対の縦桟３９ａ，３９ｂと、一対の横桟４０ａ，４０ｂとで構成された四角い枠である。受け部３８は、第１の部分と言い換えることができる。
【００３３】
縦桟３９ａ，３９ｂは、バックシャーシ１１の幅方向に間隔を存して平行に配置されている。一方の横桟４０ａは、縦桟３９ａ，３９ｂの上端の間を結んでいる。他方の横桟４０ｂは、縦桟３９ａ，３９ｂの下端の間を結んでいる。縦桟３９ａ，３９ｂおよび横桟４０ａ，４０ｂは、互いに協働してフラットな支持面４１を構成している。
【００３４】
さらに、他方の横桟３９ｂは、プリント基板２３ａの下縁を受ける壁４２を有している。壁４２は、縦桟３９ａ，３９ｂの間に跨るとともに、支持面４１よりも突出されている。
【００３５】
図１２に示すように、縦桟３９ａ，３９ｂは、係合爪４３ａ，４３ｂを有している。係合爪４３ａ，４３ｂは、係合部の一例であって、縦桟３９ａ，３９ｂの下部から第３の外周壁１６ｃの座部３５に向けて突出されている。係合爪４３ａ，４３ｂの先端４４ａ，４４ｂは、互いに遠ざかる方向に折り曲げられている。
【００３６】
一方、第２の支持部材３７ｂは、第１の支持部材３７ａと第３の支持部材３７ｃとの間でプリント基板２３ａを受け止めるとともに、当該プリント基板２３ａを座面３５ａの上に保持している。同様に、第４の支持部材３７ｄは、第３の支持部材３７ｃと第５の支持部材３７ｅとの間でプリント基板２３ａを受け止めるとともに、当該プリント基板２３ａを座面３５ａの上に保持している。
【００３７】
第２および第４の支持部材３７ｂ，３７ｄは、プリント基板２３ａを押さえ込む挟持片４５を有する点が第１、第３および第５の支持部材３７ａ，３７ｃ，３７ｅと相違している。これ以外の構成は、第１、第３および第５の支持部材３７ａ，３７ｃ，３７ｅと共通であるため、共通の構成部分には同一の参照符号を付して、その説明を省略する。
【００３８】
図１１および図１３に第２の支持部材３７ｂを代表して示すように、挟持片４５は、一方の横桟４０ａに一体に形成されている。挟持片４５は、一方の横桟４０ａの中間部から他方の横桟４０ｂに向けて突出されているとともに、縦桟３９ａ，３９ｂの間に位置されている。挟持片４５は、受け部３８の支持面４１と協働してプリント基板２３ａを挟み込んでいる。挟持片４５は、第２の部分と言い換えることができる。
【００３９】
さらに、挟持片４５は、プリント基板２３ａに実装された複数のＩＣチップやコネクタのような回路要素５１および導電性を有するグラウンディングガスケット５２を避けた位置でプリント基板２３ａに弾性的に接している。
【００４０】
このため、本実施形態では、プリント基板２３ａは、その長手方向に離間した二箇所が第２および第４の支持部材３７ｂ，３７ｄで挟持されているとともに、長手方向に離間した三箇所が第１、第３および第５の支持部材３７ａ，３７ｃ，３７ｅで受け止められている。
【００４１】
図７および図１５に示すように、第３の外周壁１６ｃの座部３５には、第１ないし第５の支持部材３７ａ，３７ｂ，３７ｃ，３７ｄ，３７ｅの係合爪４３ａ，４３ｂが個々に嵌り込む一対の係合孔４６ａ，４６ｂが形成されている。係合孔４６ａ，４６ｂは、座部３５の座面３５ａに開口されているとともに、四角い開口形状を有している。係合孔４６ａ，４６ｂは、バックシャーシ１１の幅方向に間隔を存して並んでいる。
【００４２】
したがって、図７に最もよく示されるように、座部３５の座面３５ａは、一対の係合孔４６ａ，４６ｂが並んだ五つの区域４７を有している。区域４７は、バックシャーシ１１の幅方向に間隔を存して配列されている。
【００４３】
図１８に第２の支持部材３７ｂを代表して示すように、全ての支持部材３７ａ，３７ｂ，３７ｃ，３７ｄ，３７ｅの係合爪４３ａ，４３ｂは、第３の外周壁１６ｃの背後から係合孔４６ａ，４６ｂに挿入される。この挿入により、係合爪４３ａ，４３ｂの先端４４ａ，４４ｂが係合孔４６ａ，４６ｂの開口周縁に弾性的に係合する。この結果、全ての支持部材３７ａ，３７ｂ，３７ｃ，３７ｄ，３７ｅの受け部３８は、係合孔４６ａ，４６ｂの間に跨るように第３の外周壁１６ｃに取り付けられる。
【００４４】
図１０に示すように、係合爪４３ａ，４３ｂの先端４４ａ，４４ｂが係合孔４６ａ，４６ｂの開口周縁に係合された状態では、縦枠３９ａ，３９ｂの支持面４１とは反対側の縁部が座部３５の座面３５ａに突き当てられている。
【００４５】
それとともに、図１９に示すように、係合爪４３ａ，４３ｂと係合孔４６ａ，４６ｂの開口周縁との間に夫々縦長の隙間ｇが形成されている。隙間ｇは、係合孔４６ａ，４６ｂに対する係合爪４３ａ，４３ｂの挿入を許容するためのものであって、受け部３８の縦桟３９ａ，３９ｂの外に露出されている。
【００４６】
プリント基板２３ａが第１ないし第５の支持部材３７ａ，３７ｂ，３７ｃ，３７ｄ，３７ｅを介してバックシャーシ１１の第３の外周壁１６ｃに保持された状態では、座部３５の座面３５ａに開口された係合孔４６ａ，４６ｂは、バックシャーシ１１の背後からプリント基板２３ａによって覆い隠されている。
【００４７】
図１２および図１３に第１の支持部材３５ａおよび第２の支持部材３５ｂを代表して示すように、全ての支持部材３７ａ，３７ｂ，３７ｃ，３７ｄ，３７ｅは、一対の遮光壁５４ａ，５４ｂを備えている。遮光壁５４ａ，５４ｂは、遮光部の一例である。遮光壁５４ａ，５４ｂは、受け部３８の他方の横桟４０ｂの両端部からバックシャーシ１１の幅方向に突出されているとともに、壁４２に連続するように第３の外周壁１６ｃに向けて張り出している。本実施形態によると、他方の横桟４０ｂおよび壁４２は、遮光壁５４ａ，５４ｂの間を結んでいると言い換えることができる。
【００４８】
さらに述べると、図１９に示すように、遮光壁５４ａ，５４ｂは、一対の係合孔４６ａ，４６ｂが並んだ座面３５ａ上の個々の区域４７よりも係合孔４６ａ，４６ｂの並び方向に沿う外側に向けて張り出している。このため、遮光壁５４ａ，５４ｂは、係合爪４３ａ，４３ｂと係合孔４６ａ，４６ｂの開口周縁との間に生じた隙間ｇの真下に位置されている。それとともに、遮光壁５４ａ，５４ｂは、バックシャーシ１１を背後から見た時に、隙間ｇの幅寸法よりも大きな形状を有している。
【００４９】
図５、図１０および図１１に示すように、一対の金属製のシールド板５７ａ，５７ｂがバックシャーシ１１の後壁１５に複数のねじで固定されている。シールド板５７ａ，５７ｂは、バックシャーシ１１の背後からプリント基板２３ａ、２３ｂを個々に覆うとともに、プリント基板２３ａ，２３ｂに実装されたグラウンディングガスケット５２に弾性的に押し付けられている。
【００５０】
この結果、プリント基板２３ａ，２３ｂは、シールド板５７ａ，５７ｂによりバックシャーシ１１の第３の外周壁１６ｃに近づく方向に押圧されて、第１ないし第５の支持部材３７ａ，３７ｂ，３７ｃ，３７ｄ，３７ｅの受け部３８で受け止められている。受け部３８は、バックシャーシ１１の第３の外周壁１６ｃとプリント基板２３ａ，２３ｂとの間に介在され、これら両者間を電気的に絶縁している。
【００５１】
図１０および図１１に一方のシールド板５７ａを代表して示すように、シールド板５７ａの下縁部は、バックシャーシ１１の第３の外周壁１６ｃから離れている。シールド板５７ａの下縁部と第３の外周壁１６ｃの先端縁部との間の隙間は、フレキシブルプリント配線板２４を通す通路として用いられている。この結果、第３の外周壁１６ｃに保持されたプリント基板２３ａは、シールド板５７ａの下縁部と第３の外周壁１６ｃとの間の隙間からバックシャーシ１１の下方に露出されている。
【００５２】
さらに、本実施形態によると、シールド板５７ａのうちプリント基板２３ａと向かい合う前面は、光反射シート５８で覆われている。
【００５３】
前記ユニットカバー８は、例えば合成樹脂材料で構成されている。ユニットカバー８は、バックシャーシ１１を背後から覆うように筐体５に組み付けられている。バックシャーシ１１の背後に位置されたプリント基板２３ａ，２３ｂ、フレキシブルプリント配線板２４およびプリント配線板３２は、ユニットカバー８で覆い隠されている。このため、ユニットカバー８は、筐体５を構成する要素の一部であるということができる。
【００５４】
図２に示すように、ユニットカバー８は、下壁６０を有している。下壁６０は、筐体の周壁の一例であって、バックシャーシ１１の第３の外周壁１６ｃとシールド板５７ａ，５７ｂの下縁部との間の隙間を下方から覆っている。さらに、下壁６０は、テレビ台の天板Ｔと向かい合っている。
【００５５】
下壁６０は、一対のスピーカ６１ａ，６１ｂが発する音を放出する一対の開口部６２ａ，６２ｂと、ユニットカバー８を含む筐体５の内部の放熱性を高める複数の通気孔６３と、を有している。開口部６２ａ，６２ｂおよび通気孔６３は、夫々通孔の一例であって、シールド板５７ａ，５７ｂの下縁部とバックシャーシ１１の第３の外周壁１６ｃとの間の隙間を通じてプリント基板２３ａ，２３ｂが保持された領域に通じている。
【００５６】
この結果、第１ないし第５の支持部材３７ａ，３７ｂ，３７ｃ，３７ｄ，３７ｅの遮光壁５４ａ，５４ｂは、係合爪４３ａ，４３ｂと係合孔４６ａ，４６ｂの開口周縁との間に生じた隙間ｇとユニットカバー８の下壁６０との間に進出するように、第１ないし第５の支持部材３７ａ，３７ｂ，３７ｃ，３７ｄ，３７ｅの受け部３８から突出されている。
【００５７】
第１の実施形態によると、液晶パネル６およびＬＥＤモジュール２８の背後に位置するバックシャーシ１１の第３の外周壁１６ｃに、第１ないし第５の支持部材３７ａ，３７ｂ，３７ｃ，３７ｄ，３７ｅを取り付けるための複数の係合孔４６ａ，４６ｂが開口されている。このため、ＬＥＤモジュール２８が発した光の一部が係合孔４６ａ，４６ｂを通じてバックシャーシ１１の背後および下方に漏洩することがあり得る。
【００５８】
しかるに、第１の実施形態では、係合孔４６ａ，４６ｂは、第１ないし第５の支持部材３７ａ，３７ｂ，３７ｃ，３７ｄ，３７ｅの受け部３８で受け止められたプリント基板２３ａ，２３ｂによりバックシャーシ１１の背後から覆われている。さらに、受け部３８に一体に設けられた遮光壁５４ａ，５４ｂが、係合爪４３ａ，４３ｂと係合孔４６ａ，４６ｂの開口周縁との間に生じた隙間ｇの真下に位置されている。
【００５９】
この結果、係合孔４６ａ，４６ｂを通過してバックシャーシ１１の背後に向かう光は、プリント基板２３ａ，２３ｂで遮られる。それとともに、隙間ｇからバックシャーシ１１の下方に向かう光は、遮光壁５４ａ，５４ｂによって遮られる。
【００６０】
このため、ＬＥＤモジュール２８が発した光がバックシャーシ１１の係合孔４６ａ，４６ｂから漏洩するのを回避でき、ユニットカバー８の下壁６０に放音用の開口部６２ａ，６２ｂや通気孔６３が開口されているにも拘らず、ここから光が漏れるのを防止することができる。
【００６１】
よって、プリント基板２３ａ，２３ｂをバックシャーシ１１に保持する第１ないし第５の支持部材３７ａ，３７ｂ，３７ｃ，３７ｄ，３７ｅを利用してテレビ本体３からの光漏れを解消することができ、専用の遮光部材を省略できる。
【００６２】
さらに、第１の実施形態によれば、第１ないし第５の支持部材３７ａ，３７ｂ，３７ｃ，３７ｄ，３７ｅの受け部３８に遮光壁５４ａ，５４ｂを設けたことで、係合爪４３ａ，４３ｂと係合孔４６ａ，４６ｂの開口周縁との間に係合爪４３ａ，４３ｂの挿入を許容するための隙間ｇを無理なく確保することができる。このため、第１ないし第５の支持部材３７ａ，３７ｂ，３７ｃ，３７ｄ，３７ｅを単なる機械的な係合によりバックシャーシ１１に保持することができ、液晶テレビ１の組み立て時の作業性を改善することができる。
【００６３】
加えて、隙間ｇを確保したことにより、係合爪４３ａ，４３ｂを係合孔４６ａ，４６ｂの開口周縁に係合させたり、当該係合を解除する作業を容易に行うことができる。よって、バックシャーシ１１に第１ないし第５の支持部材３７ａ，３７ｂ，３７ｃ，３７ｄ，３７ｅを取り付けたり、逆にバックシャーシ１１から第１ないし第５の支持部材３７ａ，３７ｂ，３７ｃ，３７ｄ，３７ｅを取り外す際の作業性が向上する。
【００６４】
[第２の実施形態]
図２０は、第２の実施形態を開示している。
【００６５】
第２の実施形態は、第１ないし第５の支持部材３７ａ，３７ｂ，３７ｃ，３７ｄ，３７ｅの受け部３８の形状が第１の実施形態と相違しており、それ以外の構成は第１の実施形態と同様である。第２の実施形態では、第２の支持部材３７ｂを代表して説明する。
【００６６】
図２０に示すように、第２の支持部材３７ｂの壁４２が縦桟３９ａ，３９ｂの間で切り欠かれている。すなわち、壁４２に横桟４０ｂに向けて凹んだ窪み部７１が形成されている。窪み部７１の存在により、プリント基板２３ａ，２３ｂの下縁に接する壁４２が第１の端部７２ａと第２の端部７２ｂとに隔てられている。第１の端部７２ａは、一方の遮光壁５４ａに連続し、第２の端部７２ｂは、他方の遮光壁５４ｂに連続している。
【００６７】
このような第２の実施形態においても、第１ないし第５の支持部材３７ａ，３７ｂ，３７ｃ，３７ｄ，３７ｅの受け部３８で係合孔４６ａ，４６ｂからの光漏れを防止することができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６９】
例えば第１の実施形態では、第２および第４の支持部材３７ｂ，３７ｄにのみプリント基板２３ａ，２３ｂを挟持する挟持片４５を設けたが、これに限定されるものではない。例えば第１、第３および第５の支持部材３７ａ，３７ｃ，３７ｅにも同様の挟持片４５を設け、全ての支持部材３７ａ，３７ｂ，３７ｃ，３７ｄ，３７ｅでプリント基板２３ａ，２３ｂを挟持するようにしてもよい。
【００７０】
さらに、バックシャーシに保持される回路部品は、プリント基板に特定されるものではなく、例えば複数のケーブルを束ねたワイヤーハーネスであってもよい。
【符号の説明】
【００７１】
５，８…筐体（ユニットカバー）、６…パネル（液晶パネル）、１１…バックシャーシ、２３ａ，２３ｂ…回路部品（プリント基板）、２８…発光部（ＬＥＤモジュール）、３７ａ，３７ｂ，３７ｃ，３７ｄ，３７ｅ…第１ないし第５の支持部材、３８…受け部、４６ａ，４６ｂ…係合孔、５４ａ，５４ｂ…遮光部（遮光壁）、６０…周壁（下壁）、６２ａ，６２ｂ，６３…通孔（開口部、通気孔）。
【図１】
2015069016.tif 000003
【図２】
2015069016.tif 000004
【図３】
2015069016.tif 000005
【図４】
2015069016.tif 000006
【図５】
2015069016.tif 000007
【図６】
2015069016.tif 000008
【図７】
2015069016.tif 000009
【図８】
2015069016.tif 000010
【図９】
2015069016.tif 000011
【図１０】
2015069016.tif 000012
【図１１】
2015069016.tif 000013
【図１２】
2015069016.tif 000014
【図１３】
2015069016.tif 000015
【図１４】
2015069016.tif 000016
【図１５】
2015069016.tif 000017
【図１６】
2015069016.tif 000018
【図１７】
2015069016.tif 000019
【図１８】
2015069016.tif 000020
【図１９】
2015069016.tif 000021
【図２０】
2015069016.tif 000022